(57)【要約】 【課題】アスファルト舗装を行わずに、人工芝グランド等の下層地盤の再改良を施して地盤支持力を増強し、表面の平坦性を維持する経済的で施工性に優れた平坦なグランド又はコートの施工方法及び構造を提供する。【解決手段】下層の地盤１に、砂２及び改良材３又は固化材を混合した後、その上面１０を転圧処理して改良地盤Ａを形成する。前記改良地盤Ａの上に、砕石４を敷き込み、上面４０を転圧処理して砕石層Ｂを形成する。砕石層Ｂに対し上方から水５を撒き、その水５を、砕石層Ｂに浸透させた後、転圧処理により改良地盤Ａの上面１０に接する砕石４がめり込んで生じた空隙部６に浸透させて改良地盤Ａに再改良を施し、その改良地盤Ａと砕石層Ｂを強固に密着させ一体化形成して、地盤支持力を増強する。砕石層Ｂの上面４０に人工芝８を敷設する。【選択図】       図９
2006028976.tif 000002
【特許請求の範囲】
【請求項１】
ａ）  下層の地盤に、砂及び改良材又は固化材を混合した後、その上面を転圧処理して、改良地盤を形成する工程と、
ｂ）  前記改良地盤の上に、砕石を敷き込み、その上面を転圧処理して、砕石層を形成する工程と、
ｃ）  前記砕石層に対し上方から水を撒き、その水を、前記砕石層に浸透させた後、前記転圧処理により改良地盤の上面に接する砕石がめり込んで生じた空隙部に浸透させて前記改良地盤に再改良を施し、その改良地盤と砕石層を強固に密着させ一体化形成して、地盤支持力を増強する工程と、
より成ることをそれぞれ特徴とする、平坦なグランド又はコートの施工方法。
【請求項２】
ａ）  下層の地盤に、砂及び改良材又は固化材を混合した後、その上面を転圧処理して、改良地盤を形成する工程と、
ｂ）  前記改良地盤の上に、砕石を敷き込み、その上面を転圧処理して、砕石層を形成する工程と、
ｃ）  前記砕石層に対し上方から水を撒き、その水を、前記砕石層に浸透させた後、前記転圧処理により改良地盤の上面に接する砕石がめり込んで生じた空隙部に浸透さて前記改良地盤に再改良を施し、その改良地盤と砕石層を強固に密着させ一体化形成して、地盤支持力を増強する工程と、
ｄ）  前記砕石層の上面に、必要に応じ不陸調整材を敷設した後、人工芝を敷設する工程と、
より成ることをそれぞれ特徴とする、平坦なグランド又はコートの施工方法。
【請求項３】
砕石層に対し上方から水を撒く際に、セメント又は乳剤又は液状固化剤又は水性樹脂剤等の充填剤を散布することを特徴とする、請求項１又は２に記載した平坦なグランド又はコートの施工方法。
【請求項４】
下層の改良地盤と、上層の砕石層とより成るグランド又はコートの構造において、
前記改良地盤は、地盤中に砂及び改良材又は固化材が混合され、転圧処理して形成されており、前記砕石層は、前記改良地盤の上に砕石が敷き込まれ、その上面が転圧処理され、且つ前記砕石層の上に撒かれた水が、前記砕石層に浸透されると共に、前記転圧処理により改良地盤の上面に接する砕石がめり込んで生じた空隙部に浸透され、改良地盤と砕石層とが強固に密着し一体化形成され地盤支持力が増強されて成り、前記砕石層の上面に土や砂が敷設され、クレーグランド又はクレーコートが形成されていることを特徴とする、平坦なグランド又はコートの構造。
【請求項５】
下層の改良地盤と、上層の砕石層と、その上に敷設された人工芝とより成るグランド又はコートの構造において、
前記改良地盤は、地盤中に砂及び改良材又は固化材が混合され、転圧処理して形成されており、前記砕石層は、前記改良地盤の上に砕石が敷き込まれ、その上面が転圧処理され、且つ前記砕石層の上に撒かれた水が、前記砕石層に浸透されると共に、前記転圧処理により改良地盤の上面に接する砕石がめり込んで生じた空隙部に浸透され、改良地盤と砕石層とが強固に密着し一体化形成され地盤支持力が増強されており、前記砕石層の上面に人工芝が敷設され、人工芝グランド又は人工芝コートが形成されていることを特徴とする、平坦なグランド又はコートの構造。
【請求項６】
砕石層の上に撒かれた水と共に、セメント又は乳剤又は液状固化剤又は水性樹脂剤等の充填剤が散布されて成ることを特徴とする、請求項４又は５に記載した平坦なグランド又はコートの構造。
【発明の詳細な説明】
【技術分野】
【０００１】
本発明は、平坦なグランド又はコートの施工方法及び構造に属し、さらに云えば、アスファルト舗装をせずに、人工芝等のグランド又はコートの下層の支持力を高め、表面の平坦性を維持する平坦なグランド又はコートの施工方法とそれらの構造の技術分野に関する。
【背景技術】
【０００２】
人工芝又はクレーのグランド又はコートは、その表面の人工芝や土の不陸をなくして平坦にし、運動や競技で使用するボールの転がりの安定化を図る必要がある。そのため、従来のグランドやコートの下地には、砕石類による路盤材料の上に、アスファルト舗装を施し、そのアスファルト舗装の上に人工芝等の表層材料を敷設する手法が多く行われている。
【０００３】
例えば登録実用新案第３０１０５８９号公報には、下層のアスファルト層を形成し、そのアスファルト層の上にゴムチップ層を形成し、その上に人工芝を積層する構造が開示されている。
【特許文献１】登録実用新案第３０１０５８９号公報
【発明の開示】
【発明が解決しようとする課題】
【０００４】
前記従来の人工芝グランド類を施工するに際して、人工芝表面の下地にアスファルト舗装を施工するのは、支持力が得られて表面の不陸をなくす点ではいいが、そのアスファルト舗装に伴う施工コストの高騰を余儀なれる上、施工上煩わしい作業がつづき、施工日数がかかるといった問題がある。
【０００５】
そこで、コストをかけず短期に施工すべく、アスファルト舗装を行わずに、路盤材の上に直接ロングパイルの人工芝を敷設する方法も行われているが、やはり爾後には路盤材に沈下や盛上りが起り、表面に不陸が生じてしまう。
【０００６】
したがって、本発明の目的は、アスファルト舗装を行わずに、人工芝等のグランド又はコートの下層地盤の再改良を施して地盤支持力（地耐力）を増強し、表面の平坦性を維持する経済的で施工性に優れた平坦なグランド又はコートの施工方法及び構造を提供することにある。
【課題を解決するための手段】
【０００７】
請求項１記載の発明の平坦なグランド又はコートの施工方法は、
ａ）  下層の地盤１に、砂２及び改良材３又は固化材を混合した後、その上面１０を転圧処理して、改良地盤Ａを形成する工程と、
ｂ）  前記改良地盤Ａの上に、砕石４・・・を敷き込み、その上面４０を転圧処理して、砕石層Ｂを形成する工程と、
ｃ）  前記砕石層Ｂに対し上方から水５を撒き、その水５を、前記砕石層Ｂに浸透させた後、前記転圧処理により改良地盤Ａの上面１０に接する砕石４がめり込んで生じた空隙部６に浸透させて前記改良地盤Ａに再改良を施し、その改良地盤Ａと砕石層Ｂを強固に密着させ一体化形成して、地盤支持力を増強する工程と、
より成ることをそれぞれ特徴とする。
【０００８】
請求項２記載の発明の平坦なグランド又はコートの施工方法は、
ａ）  下層の地盤１に、砂２及び改良材３又は固化材を混合した後、その上面１０を転圧処理して、改良地盤Ａを形成する工程と、
ｂ）  前記改良地盤Ａの上に、砕石４・・・を敷き込み、その上面４０を転圧処理して、砕石層Ｂを形成する工程と、
ｃ）  前記砕石層Ｂに対し上方から水５を撒き、その水５を、前記砕石層Ｂに浸透させた後、前記転圧処理により改良地盤Ａの上面１０に接する砕石４がめり込んで生じた空隙部６に浸透させて前記改良地盤Ａに再改良を施し、その改良地盤Ａと砕石層Ｂを強固に密着させ一体化形成して、地盤支持力を増強する工程と、
ｄ）  前記砕石層Ｂの上面４０に、必要に応じ不陸調整材７を敷設した後、人工芝８を敷設する工程と、
より成ることをそれぞれ特徴とする。
【０００９】
請求項３記載の発明の平坦なグランド又はコートの施工方法は、前記発明において、砕石層Ｂに対し上方から水５を撒く際に、セメント又は乳剤又は液状固化剤又は水性樹脂剤等の充填材を散布することを特徴とする。
【００１０】
請求項４記載の発明の平坦なグランド又はコートの構造は、下層の改良地盤Ａと、上層の砕石層Ｂとより成るグランド又はコートの構造において、
前記改良地盤Ａは、地盤１中に砂２及び改良材３又は固化材が混合され、転圧処理して形成されており、前記砕石層Ｂは、前記改良地盤Ａの上に砕石４・・・が敷き込まれ、その上面４０が転圧処理され、且つ前記砕石層Ｂの上に撒かれた水５が、前記砕石層Ｂに浸透されると共に、前記転圧処理により改良地盤Ａの上面１０に接する砕石４・・・がめり込んで生じた空隙部６に浸透され、改良地盤Ａと砕石層Ｂとが強固に密着し一体化形成され地盤支持力が増強されて成り、前記砕石層Ｂの上面４０に土９や砂２が敷設され、クレーグランドＣ又はクレーコートが形成されていることを特徴とする。
【００１１】
請求項５記載の発明の平坦なグランド又はコートの構造は、下層の改良地盤Ａと、上層の砕石層Ｂと、その上に敷設された人工芝８とより成るグランド又はコートの構造において、
前記改良地盤Ａは、地盤１中に砂２及び改良材３又は固化材が混合され、転圧処理して形成されており、前記砕石層Ｂは、前記改良地盤Ａの上に砕石４・・・が敷き込まれ、その上面４０が転圧処理され、且つ前記砕石層Ｂの上に撒かれた水５が、前記砕石層Ｂに浸透されると共に、前記転圧処理により改良地盤Ａの上面１０に接する砕石４・・・がめり込んで生じた空隙部６に浸透され、改良地盤Ａと砕石層Ｂとが強固に密着し一体化形成され地盤支持力が増強されており、前記砕石層Ｂの上面４０に人工芝８が敷設され、人工芝グランドＧ又は人工芝コートが形成されていることを特徴とする。
【００１２】
請求項６記載の発明の平坦なグランド又はコートの構造は、砕石層Ｂの上に撒かれた水５と共に、セメント又は乳剤又は液状固化剤又は水性樹脂剤等の充填材が散布されて成ることを特徴とする。
【発明の効果】
【００１３】
請求項１〜３記載の発明の平坦なグランド又はコートの施工方法は、改良地盤の上面において、アスファルト層に代わる砕石層を形成し転圧処理した際に生じる空隙部が、上方から撒く水等によって浸透して充填され、改良地盤に再改良を施し、当該改良地盤と砕石層とが強固に密着し一体化形成されるので、地盤の支持力（地耐力）が増強される。その結果、表面に不陸の生じない平坦性が維持され、ボールを利用した運動や競技を支障なく行える上、経済的で施工性のよいクレー又は人工芝のグランドやコートの提供に寄与する。
【００１４】
請求項４〜６記載の発明の平坦なグランド又はコートの構造も、前記同様に、改良地盤の上面において、アスファルト層に代わる砕石層が転圧された際に生じる空隙部が、上方から撒かれた水等によって浸透して充填され、改良地盤と砕石層とが強固に密着し一体化形成されているので、地盤の支持力（地耐力）が増強される。その結果、表面に不陸の生じない平坦性が維持され、ボールを利用した運動や競技を支障なく行える上、経済的で施工性のよいクレー又は人工芝のグランドやコートの提供に寄与する。
【発明を実施するための最良の形態】
【００１５】
請求項１〜６記載の本発明に係る平坦なグランドの施工方法及び構造の好適な実施形態につき、以下図面にしたがって説明する。なお、平坦なコートについては同様に施工できるので、その説明を省略する。
【００１６】
図１と図２は、改良地盤の形成工程を示している。
【００１７】
まず図１のように、下層の地盤１の上に、改良材３（又は固化材）と砂２を敷き込む。その後、図２に示したように、前記地盤１と改良材３と砂２とを攪拌・混合した後、その上面１０を転圧処理して、改良地盤Ａを形成する。この改良地盤Ａの深さは、約５〜１０ｃｍぐらいである。
【００１８】
図３と図４は、砕石層の形成工程を示している。
【００１９】
前記改良地盤Ａの上に、砕石４・・・を敷き込み（図３）、その砕石４・・・の上面４０を十分に転圧処理して砕石層Ｂを形成する（図４）。この砕石層Ｂの深さは、約１０〜１５ｃｍぐらいである。この転圧処理の際に、図４に示した如く、砕石層Ｂの下の方の砕石４・・・が、直下の改良地盤Ａ（上面１０）にめり込み、当該下方の砕石４・・・の周囲に空隙部６が生じる（図７参照）。そこで、つづいて当該空隙部６を充填して地耐力を高める以下の工程を行う。
【００２０】
図５〜図７は、前記改良地盤と砕石層との一体化による支持力増強工程を示している。
【００２１】
改良地盤Ａと砕石層Ｂとが接する箇所で、前記転圧処理によって生じた空隙部６を埋めるべく、砕石層Ｂに対し上方から水５を撒く（図５）。その際、請求項３のように、セメントや砕石層Ｂを浸透可能な乳剤、或いは液状の固化剤（土着固化材）や水性樹脂剤等の充填剤を併せて散布する形態も好適に実施される（図示は省略）。前記の如く撒かれた水５が後述のように砕石層Ｂを浸透して、当該砕石層Ｂ中の砕石４のシルト分４ａを下方に流下させ、砕石層Ｂの透水性を向上させる機能もあるので、前記の充填剤等は砕石層Ｂを浸透し易くなっている。なお、前記改良地盤Ａ中の改良材３や固化材により固化が進行するので、この水５等は可及的速やかに撒くのが好ましい。
【００２２】
そうすると、前記水５等は、砕石層Ｂを構成する個々の砕石４・・・の間を下方に浸透していく。その際、前記の如く砕石４のシルト分４ａが、当該水５によって下方の改良地盤Ａの方へ流下する。つづいて、図６と図７に示したように、前記改良地盤Ａの上面１０に接して砕石４がめり込んで生じた空隙部６に、当該水５やシルト分４ａ等はさらに浸透して充填される。と共に、この水５等が前記砕石４と、直下の改良地盤Ａ中の砂２と改良材３（固化材）とに反応して強固に密着する。すなわち、この過程で、従来行われていなかった上記転圧処理後の下層の改良地盤Ａに再度の改良が施される訳で、これにより当該再改良が加えられた改良地盤Ａと砕石層Ｂとが一体化形成される（図６、図７）。よって、改良地盤Ａと砕石層Ｂとが全体として一体的に強く締め固められ、増強された支持力（地耐力）が得られ、砕石層Ｂの上面４０の平坦性が確保される。
【００２３】
図８は、クレーグランドの形成工程を示している。
【００２４】
前記図７図示例のように、砕石層Ｂの上面４０の平坦性が確保されるので、その上に、土９や砂２を敷設すれば、平坦なクレーグランドＣが形成されたグランド構造が簡便に実現できる。
【００２５】
また図９は、人工芝グランドの形成工程を示している。
【００２６】
前記図７に示した平坦な砕石層Ｂの上面４０に、必要に応じ不陸調整材７（粒度のφ＝０．００７５〜５が好ましい）を敷設した後、砂２入りのロングパイル人工芝８を敷設すれば、前記図８の平坦なクレーグランドＣと同様に、平坦な人工芝グランドＧが形成されたグランド構造がやはり簡便に実現できる。
【００２７】
したがって、表面に不陸の生じない平坦な人工芝グランドＧやクレーグランドＣが簡便かつ低コストで完成でき、ボールを利用した運動や競技、或いは走行競技の際に不快感や不便さが解消され、安全で快適に各種スポーツを行うことができる。
【図面の簡単な説明】
【００２８】
【図１】地盤改良の準備段階を示した断面図である。
【００２９】
【図２】地盤改良の要領を示した断面図である。
【００３０】
【図３】砕石層の形成過程を示した断面図である。
【００３１】
【図４】砕石層の転圧処理状況を示した断面図である。
【００３２】
【図５】砕石層への散水状況を示した断面図である。
【００３３】
【図６】改良地盤と砕石層との一体化状態を示した断面図である。
【００３４】
【図７】図６と図８の符号Ｓで示した空隙部近傍を拡大して示した断面図である。
【００３５】
【図８】クレーグランドの完成状態を示した断面図である。
【００３６】
【図９】人工芝グランドの完成状態を示した断面図である。
【符号の説明】
【００３７】
Ａ      改良地盤
Ｂ      砕石層
Ｃ      クレーグランド
Ｇ      人工芝グランド
１      地盤
１０    上面
２      砂
３      改良材
４      砕石
４０    上面
５      水
６      空隙部
７      不陸調整材
８      人工芝
９      土
【図１】
2006028976.tif 000003
【図２】
2006028976.tif 000004
【図３】
2006028976.tif 000005
【図４】
2006028976.tif 000006
【図５】
2006028976.tif 000007
【図６】
2006028976.tif 000008
【図７】
2006028976.tif 000009
【図８】
2006028976.tif 000010
【図９】
2006028976.tif 000011